【手続補正書】
【提出日】平成16年6月21日(2004.6.21)
【手続補正１】
【補正対象書類名】明細書
【補正対象項目名】特許請求の範囲
【補正方法】変更
【補正の内容】
【特許請求の範囲】
【請求項１】
ＡＳＫ変調方式で変調を行うディジタル光通信信号の変調方法において、
データを伝送するのに不要である周波数成分を低減させて信号を送信することを特徴とするディジタル光通信信号の変調方法。
【請求項２】
前記データを伝送するのに不要である周波数成分は、直流成分であることを特徴とする請求項１に記載のディジタル光通信信号の変調方法。
【請求項３】
ＡＳＫ変調方式で変調を行うディジタル光通信信号の変調方法において、
光信号を副搬送波成分とベースバンド成分とに分解したとき、ベースバンド成分は、その直流レベルが一定であることを特徴とするディジタル光通信信号の変調方法。
【請求項４】
ＡＳＫ変調方式で変調を行うディジタル光通信信号の変調方法において、
副搬送波光信号が出力されていない箇所に、ＤＣバイアスをかけてなることを特徴とするディジタル光通信信号の変調方法。
【請求項５】
前記ＤＣバイアスは、前記副搬送波の主信号の振幅の半分の振幅であることを特徴とする請求項４に記載のディジタル光通信信号の変調方法。
【請求項６】
ＡＳＫ変調方式で変調を行うディジタル光通信信号の変調方法において、
副搬送波が存在しない時間に直流光を付加させて通信を行い、前記直流光の発光に要する電力が、前記副搬送波が存在する時間における発光に要する電力と所定の比となるように設定することを特徴とするディジタル光通信信号の変調方法。
【請求項７】
前記直流光の発光に要する電力と前記副搬送波が存在する時間における発光に要する電力との比が１対１であることを特徴とする請求項６に記載のディジタル光通信信号の変調方法。
【請求項８】
ＡＳＫ変調方式で変調を行うディジタル光通信信号の変調方法において、
副搬送波光信号が出力されていない箇所に、副搬送波の主信号の周波数と異なる周波数を送波することを特徴とするディジタル光通信信号の変調方法。
【請求項９】
請求項１乃至８のいずれかの方法で変調されたディジタル光通信信号を用いて、パケットを構成し、光通信を行う際、前記パケットの前部に、そのベースバンド成分が第１の値から第２の値まで変動する冗長信号をもち、及び／又は、前記パケットの後部に、そのベースバンド成分が第２の値から第１の値まで変動する冗長信号を持つことを特徴とする光通信方法。
【請求項１０】
前記第１の値が０であり、第２の値がＶであることを特徴とする請求項９に記載の光通信方法。
【請求項１１】
前記Ｖは、副搬送波の主信号の振幅の半分の振幅であることを特徴とする請求項１０に記載の光通信方法。
【請求項１２】
請求項１乃至８のいずれかの方法で変調されたディジタル光通信信号を用いて、パケットを構成し、光通信を行う際、前記パケットの前部に、立ち上がり時間が最小データビット時間以上の時間である直流光を付加発光させる冗長信号をもち、及び／又は、前記パケットの後部に、立ち下がり時間が最小データビット時間以上の時間である直流光を付加発光させる冗長信号を持つことを特徴とする光通信方法。
【請求項１３】
光パケットを送信する光送信装置において、
パケット前部、及び／又は、パケット後部に冗長信号を持つパケットを生成する通信制御回路部と、該通信制御回路部によって生成されたパケットを電気信号から光信号に変換する光素子駆動回路と、前記通信制御回路部によって制御され、光素子の光振幅レベルを操作するための光振幅レベル決定回路と、を備えたＥ／Ｏ変換回路部と、を、少なくとも備えてなることを特徴とする光送信装置。
【請求項１４】
前記パケット前部、及び／又は、パケット後部の冗長信号は、ＤＣバイアス信号又はＦＳＫバイアス信号が用いられてなることを特徴とする請求項１３に記載の光送信装置。
【請求項１５】
前記パケット前部、及び／又は、パケット後部の冗長信号は、データ復調処理の際、無視される信号パターンシンボルを用いてなることを特徴とする請求項１３または１４に記載の光送信装置。
【手続補正２】
【補正対象書類名】明細書
【補正対象項目名】００２５
【補正方法】変更
【補正の内容】
【００２５】
【課題を解決するための手段】
本発明（請求項１）に係るディジタル光通信信号の変調方法は、ＡＳＫ変調方式で変調を行うディジタル光通信信号の変調方法において、データを伝送するのに不要である周波数成分を低減させて信号を送信することによって上記課題を解決する。
【手続補正３】
【補正対象書類名】明細書
【補正対象項目名】００２６
【補正方法】変更
【補正の内容】
【００２６】
本発明（請求項２）に係るディジタル光通信信号の変調方法は、請求項１のＡＳＫ変調方式で変調を行うディジタル光通信信号の変調方法において、前記データを伝送するのに不要である周波数成分は、直流成分であることによって上記課題を解決する。
【手続補正４】
【補正対象書類名】明細書
【補正対象項目名】００２７
【補正方法】変更
【補正の内容】
【００２７】
本発明（請求項３）に係るディジタル光通信信号の変調方法は、請求項１のＡＳＫ変調方式で変調を行うディジタル光通信信号の変調方法において、光信号を副搬送波成分とベースバンド成分とに分解したとき、ベースバンド成分は、その直流レベルが一定であることによって上記課題を解決する。
【手続補正５】
【補正対象書類名】明細書
【補正対象項目名】００２８
【補正方法】変更
【補正の内容】
【００２８】
本発明（請求項４）に係るディジタル光通信信号の変調方法は、ＡＳＫ変調方式で変調を行うディジタル光通信信号の変調方法において、副搬送波光信号が出力されていない箇所に、ＤＣバイアスをかけてなることによって上記課題を解決する。
【手続補正６】
【補正対象書類名】明細書
【補正対象項目名】００２９
【補正方法】変更
【補正の内容】
【００２９】
本発明（請求項５）に係るディジタル光通信信号の変調方法は、請求項４に記載のディジタル光通信信号の変調方法において、前記ＤＣバイアスは、前記副搬送波の主信号の振幅の半分の振幅であることによって上記課題を解決する。
【手続補正７】
【補正対象書類名】明細書
【補正対象項目名】００３０
【補正方法】変更
【補正の内容】
【００３０】
本発明（請求項６）に係るディジタル光通信信号の変調方法は、ＡＳＫ変調方式で変調を行うディジタル光通信信号の変調方法において、副搬送波が存在しない時間に直流光を付加させて通信を行い、前記直流光の発光に要する電力が、前記副搬送波が存在する時間における発光に要する電力と所定の比となるように設定することによって上記課題を解決する。
【手続補正８】
【補正対象書類名】明細書
【補正対象項目名】００３１
【補正方法】変更
【補正の内容】
【００３１】
本発明（請求項７）に係るディジタル光通信信号の変調方法は、請求項６に記載のディジタル光通信信号の変調方法において、前記直流光の発光に要する電力と前記副搬送波が存在する時間における発光に要する電力との比が１対１であることによって上記課題を解決する。
【手続補正９】
【補正対象書類名】明細書
【補正対象項目名】００３２
【補正方法】変更
【補正の内容】
【００３２】
本発明（請求項８）に係るディジタル光通信信号の変調方法は、ＡＳＫ変調方式で変調を行うディジタル光通信信号の変調方法において、副搬送波光信号が出力されていない箇所に、副搬送波の主信号の周波数と異なる周波数を送波することによって上記課題を解決する。
本発明（請求項９）に係る光通信方法は、請求項１乃至８のいずれかの方法で変調されたディジタル光通信信号を用いて、パケットを構成し、光通信を行う際、前記パケットの前部に、そのベースバンド成分が第１の値から第２の値まで変動する冗長信号をもち、及び／又は、前記パケットの後部に、そのベースバンド成分が第２の値から第１の値まで変動する冗長信号を持つことによって上記課題を解決する。
本発明（請求項１０）に係る光通信方法は、請求項９に記載の光通信方法において、前記第１の値が０であり、第２の値がＶであることによって上記課題を解決する。
本発明（請求項１１）に係る光通信方法は、請求項１０に記載の光通信方法において、前記Ｖは、副搬送波の主信号の振幅の半分の振幅であることによって上記課題を解決する。
本発明（請求項１２）に係る光通信方法は、請求項１乃至８のいずれかの方法で変調されたディジタル光通信信号を用いて、パケットを構成し、光通信を行う際、前記パケットの前部に、立ち上がり時間が最小データビット時間以上の時間である直流光を付加発光させる冗長信号をもち、及び／又は、前記パケットの後部に、立ち下がり時間が最小データビット時間以上の時間である直流光を付加発光させる冗長信号を持つことによって上記課題を解決する。
本発明（請求項１３）に係る光通信装置は、光パケットを送信する光送信装置において、パケット前部、及び／又は、パケット後部に冗長信号を持つパケットを生成する通信制御回路部と、該通信制御回路部によって生成されたパケットを電気信号から光信号に変換する光素子駆動回路と、前記通信制御回路部によって制御され、光素子の光振幅レベルを操作するための光振幅レベル決定回路と、を備えたＥ／Ｏ変換回路と、を、少なくとも備えてなることによって上記課題を解決する。
本発明（請求項１４）に係る光通信装置は、請求項１３に記載の光送信装置において、前記パケット前部、及び／又は、パケット後部の冗長信号は、ＤＣバイアス信号又はＦＳＫバイアス信号が用いられてなることによって上記課題を解決する。
本発明（請求項１５）に係る光通信装置は、請求項１３または１４に記載の光送信装置において、前記パケット前部、及び／又は、パケット後部の冗長信号は、データ復調処理の際、無視される信号パターンシンボルを用いてなることによって上記課題を解決する。
【手続補正１０】
【補正対象書類名】明細書
【補正対象項目名】００３３
【補正方法】変更
【補正の内容】
【００３３】
請求項１４、１５において、変調方式をＦＳＫ変調方式、又はＰＳＫ変調方式にすることが好ましい。また、更に変調方式をＤＣバイアスされたＡＳＫ変調方式、又はＦＳＫバイアスされたＡＳＫ変調方式とすることが更に好ましい。このように構成することによって、既存のＰＳＫ、ＦＳＫ変調方式パケット通信システムにおいて、受信機を従来のものを使用しながら、なおかつリモコンとの相互干渉を軽減できる。特に、変調方式をＦＳＫバイアスされたＡＳＫ変調方式とすることにより、最も簡単な回路構成で本発明を実現できる。
【手続補正１１】
【補正対象書類名】明細書
【補正対象項目名】００８３
【補正方法】変更
【補正の内容】
【００８３】
【発明の効果】
本発明（請求項１、２）に係るディジタル光通信信号の変調方法によれば、ＡＳＫ通信で発生していた不要輻射を低減することができる。
本発明（請求項３）に係るディジタル光通信信号の変調方法によれば、ＡＳＫ通信で発生していた既存の光通信装置との干渉を軽減できる。
【手続補正１２】
【補正対象書類名】明細書
【補正対象項目名】００８４
【補正方法】変更
【補正の内容】
【００８４】
本発明（請求項４、５、６、７）に係るディジタル光通信信号の変調方法によれば、ＡＳＫ通信で発生していた既存の光通信装置との干渉を軽減できる。またＤＣバイアスは、従来のＡＳＫ受信機では無視されるため、光受信システムを改造や変更することなくそのまま使用できる。
【手続補正１３】
【補正対象書類名】明細書
【補正対象項目名】００８５
【補正方法】変更
【補正の内容】
【００８５】
本発明（請求項８）に係るディジタル光通信信号の変調方によれば、ＡＳＫ通信で発生していた既存の光通信装置との干渉を軽減できる。またＦＳＫバイアスは、従来のＡＳＫ受信機では無視されるため、光受信システムを改造や変更することなくそのまま使用できる。さらに、ＤＣバイアス光送信機に比べ、光送信機の実現は容易である。
【手続補正１４】
【補正対象書類名】明細書
【補正対象項目名】００８６
【補正方法】変更
【補正の内容】
【００８６】
本発明（請求項９、１０、１１）に係る光通信方法によれば、変調した信号のベースバンド成分の直流成分が一定となる変調方式で変調を行う光パケット通信においてパケットの送信によって発生する電力スペクトルの高周波成分を減少できる。これにより、電力スペクトルメーンローブが、本発明で用いられる変調方式のメーンローブよりも低周波領域に存在する既存システム（リモコン等）を含む複数の異なる赤外線通信システム間の干渉を軽減することが可能になる。また、冗長部は、パケット通信では無視される信号パターンを選択しているため、光受信回路は既存のものをそのまま使用出来る。
【手続補正１５】
【補正対象書類名】明細書
【補正対象項目名】００８７
【補正方法】変更
【補正の内容】
【００８７】
本発明（請求項１２）に係る光通信方法によれば、冗長信号をデータビットと確実に分離することができる。
本発明（請求項１３）に係る光通信方法によれば、本発明（請求項９）を実現できる。
【手続補正１６】
【補正対象書類名】明細書
【補正対象項目名】００８８
【補正方法】削除
【補正の内容】
【手続補正１７】
【補正対象書類名】明細書
【補正対象項目名】００８９
【補正方法】変更
【補正の内容】
【００８９】
本発明（請求項１４）に係る光通信方法によれば、パケット本体の変調方式及び構成に応じて適切な冗長信号の方式を選択することができる。
【手続補正１８】
【補正対象書類名】明細書
【補正対象項目名】００９０
【補正方法】変更
【補正の内容】
【００９０】
本発明（請求項１５）に係る光通信方法によれば、パケット本体の変調方式及び構成に応じて適切な冗長信号の方式を選択することができると共に、既存のシンボルパターンを使用するため、新たにパターン発生回路を組み込む必要がなくなる。